(57)【要約】【課題】ユーザ装置において測定されたＲＳ−ＳＩＮＲを基地局に報告するための仕組みを提供することである。【解決手段】本発明の一態様は、基地局から送信される物理ダウンリンク制御チャネルのリファレンス信号に対してＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）を測定する測定部と、所定の報告契機に従って、前記基地局に前記測定されたＲＳ−ＳＩＮＲを報告する報告部とを有するユーザ装置に関する。【選択図】図５
2015154463.tif 000002
【特許請求の範囲】
【請求項１】
基地局から送信される物理ダウンリンク制御チャネルのリファレンス信号に対してＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）を測定する測定部と、
所定の報告契機に従って、前記基地局に前記測定されたＲＳ−ＳＩＮＲを報告する報告部と、
を有するユーザ装置。
【請求項２】
前記報告部は、前記測定されたＲＳ−ＳＩＮＲの値に基づく報告契機に従って、前記基地局に前記測定されたＲＳ−ＳＩＮＲを報告する、請求項１記載のユーザ装置。
【請求項３】
前記報告部は、前記測定されたＲＳ−ＳＩＮＲが所定のイベント条件を充足したことに応答して前記測定されたＲＳ−ＳＩＮＲを前記基地局に報告するか、周期的に前記測定されたＲＳ−ＳＩＮＲを前記基地局に報告するか、又は前記測定されたＲＳ−ＳＩＮＲが所定のイベント条件を充足した時点から前記所定のイベント条件が充足する期間中は前記測定されたＲＳ−ＳＩＮＲを前記基地局に報告する、請求項２記載のユーザ装置。
【請求項４】
前記測定部はさらに、ＲＳＲＱ（Ｒｅｆｅｒｅｎｃｅ  Ｓｉｇｎａｌ  Ｒｅｃｅｉｖｅｄ  Ｑｕａｌｉｔｙ）及びＲＳＲＰ（Ｒｅｆｅｒｅｎｃｅ  Ｓｉｇｎａｌ  Ｒｅｃｅｉｖｅｄ  Ｐｏｗｅｒ）の一方又は双方を測定し、
前記報告部は、前記所定の報告契機に従って、前記測定されたＲＳ−ＳＩＮＲに加えて、前記測定されたＲＳＲＱ及びＲＳＲＰの一方又は双方を前記基地局に報告する、請求項１乃至３何れか一項記載のユーザ装置。
【請求項５】
前記測定部はさらに、ＲＳＲＱ及びＲＳＲＰの一方又は双方を測定し、
前記報告部は、前記測定されたＲＳＲＱ又はＲＳＲＰの値に基づく報告契機に従って、前記基地局に前記測定されたＲＳ−ＳＩＮＲを報告する、請求項１記載のユーザ装置。
【請求項６】
前記報告部は、前記測定されたＲＳＲＱ又はＲＳＲＰが所定のイベント条件を充足したことに応答して前記測定されたＲＳ−ＳＩＮＲを前記基地局に報告するか、周期的に前記測定されたＲＳ−ＳＩＮＲを前記基地局に報告するか、又は前記測定されたＲＳＲＱ又はＲＳＲＰが所定のイベント条件を充足した時点から前記所定のイベント条件が充足する期間中は前記測定されたＲＳ−ＳＩＮＲを前記基地局に報告する、請求項５記載のユーザ装置。
【請求項７】
前記報告部は、前記測定されたＲＳ−ＳＩＮＲに加えて、前記測定されたＲＳＲＱ及びＲＳＲＰの一方又は双方を前記基地局に報告する、請求項５又は６記載のユーザ装置。
【請求項８】
ユーザ装置から物理ダウンリンク制御チャネルのリファレンス信号に対して測定されたＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）を受信する送受信部と、
前記受信したＲＳ−ＳＩＮＲに基づき前記ユーザ装置に対してバンド分散制御を実行し、前記ユーザ装置のバンド分散先セルを前記ユーザ装置に通知するよう前記送受信部に指示するバンド分散制御部と、
を有するバンド分散制御装置。
【請求項９】
ユーザ装置によるＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）報告方法であって、
基地局から送信される物理ダウンリンク制御チャネルのリファレンス信号に対してＲＳ−ＳＩＮＲを測定するステップと、
所定の報告契機に従って、前記基地局に前記測定されたＲＳ−ＳＩＮＲを報告するステップと、
を有するＲＳ−ＳＩＮＲ報告方法。
【発明の詳細な説明】
【技術分野】
【０００１】
本発明は、無線通信システムに関する。
【背景技術】
【０００２】
典型的には、無線通信システムの事業者には複数の周波数帯域が割り当てられ、各事業は、割り当てられた複数の周波数帯域（キャリア）を利用して、携帯電話やスマートフォンなどのユーザ装置（ＵＥ）に無線通信サービスを提供している。これら複数の周波数帯域を効率的に利用するため、事業者は、ユーザ装置を周波数帯域間に分散するよう制御している（バンド分散制御又は異周波分散制御）。
【０００３】
図１に示される具体例では、ある事業者に１．５ＧＨｚと２ＧＨｚとの２つの周波数帯域が割り当てられ、当該事業者は、これら２つの周波数帯域を利用してユーザ装置に無線通信サービスを提供している。例えば、図１の左側に示されるように、ユーザ装置が１．５ＧＨｚの周波数帯域のセルに集中し、２ＧＨｚの周波数帯域のセルが相対的に空いているケースでは、基地局又はバンド分散制御装置は、これら２つのキャリア間のトラヒック量を均一にするため、図１の右側に示されるように、１．５ＧＨｚの周波数帯域のセルを利用するユーザ装置を２ＧＨｚの周波数帯域のセルに移行させるバンド分散制御又は異周波分散制御を実行する。
【０００４】
例えば、ユーザ装置が発着信時に在圏セルでＲＲＣ＿ＣＯＮＮＥＣＴＥＤ状態になった後、基地局又はバンド分散制御装置は、ユーザ装置に１．５ＧＨｚと２ＧＨｚとの２つの周波数帯域のセルのＲＳＲＱ（Ｒｅｆｅｒｅｎｃｅ  Ｓｉｇｎａｌ  Ｒｅｃｅｉｖｅｄ  Ｑｕａｌｉｔｙ）を測定させ、測定したＲＳＲＱを報告させる。ユーザ装置から報告された２つのセルのＲＳＲＱと混雑状況などに基づき、基地局又はバンド分散制御装置は、当該ユーザ装置を適切な周波数帯域のセルにハンドオーバさせる。あるいは、終話時にユーザ装置にＲＳＲＱを報告させ、報告されたＲＳＲＱと各セルの混雑状況などに基づき、基地局又はバンド分散制御装置は、ＲＲＣ  Ｃｏｎｎｅｃｔｉｏｎ  Ｒｅｌｅａｓｅによって、当該ユーザ装置を適切な周波数帯域のセルにＩＤＬＥ状態で在圏させる。
【先行技術文献】
【非特許文献】
【０００５】
【非特許文献１】３ＧＰＰ  ＴＳ  ３６．３００  Ｖ１２．０．０（２０１３−１２）
【非特許文献２】３ＧＰＰ  ＴＳ  ３６．３３１  Ｖ１２．０．０（２０１３−１２）
【非特許文献３】３ＧＰＰ  ＴＳ  ３６．１３３  Ｖ１２．２．０（２０１３−１２）
【発明の概要】
【発明が解決しようとする課題】
【０００６】
ＲＳＲＱは、ユーザ装置が基地局からの受信信号の品質を示す指標として有用であり、バンド分散先セルにおいて実現可能なスループットを推定するための１つの指標として利用可能である。他方、図２に示されるように、ＲＳＲＱの値が大きくなると、スループットの範囲が大きくなることが知られている。このため、ＲＳＲＱを利用した場合、バンド分散先セルにおける実現可能なスループットを適切に推定することができない可能性がある。さらに、バンド分散先セルにおけるロードに応じて、ＲＳＲＱと推定されるスループットと間の関係が異なるものになることが知られている。すなわち、図２に示されるように、高いロード（Ｆｕｌｌ  ｌｏａｄ）、中程度のロード（Ｍｅｄｉｕｍ  ｌｏａｄ）及び低いロード（Ｌｏｗ  ｌｏａｄ）では、ＲＳＲＱに対して急激にスループットが増加するポイントが異なるため、バンド分散先セルにおいて実現可能なスループットを適切に推定することができなくなる可能性がある。
【０００７】
一方、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）に対するスループットは、図３に示されるように、概ね線形に比例することが知られている。このため、ユーザ装置がバンド分散先セルのＳＩＮＲを報告できれば、バンド分散先セルにおいて実現可能なスループットをより高い精度で推定することが可能になると考えられる。ＬＴＥシステムでは、ユーザ装置は、無線リンクのモニタリングのため、ＰＤＣＣＨ（Ｐｈｙｓｉｃａｌ  Ｄｏｗｎｌｉｎｋ  Ｃｏｎｔｒｏｌ  Ｃｈａｎｎｅｌ）のＳＩＮＲを測定しており、当該ＰＤＣＣＨのＳＩＮＲは、ＰＤＣＣＨが送信される領域のリファレンス信号により測定されている（例えば非特許文献３参照）。ここで、ＰＤＣＣＨのＳＩＮＲは、ＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）として呼ぶことができる。しかしながら、測定されたＲＳ−ＳＩＮＲを基地局に報告する仕組みは現時点では規定されていない。
【０００８】
上記問題点に鑑み、本発明の１つの課題は、ユーザ装置において測定されたＲＳ−ＳＩＮＲを基地局に報告するための仕組みを提供することである。
【課題を解決するための手段】
【０００９】
上記課題を解決するため、本発明の一態様は、基地局から送信される物理ダウンリンク制御チャネルのリファレンス信号に対してＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）を測定する測定部と、所定の報告契機に従って、前記基地局に前記測定されたＲＳ−ＳＩＮＲを報告する報告部とを有するユーザ装置に関する。
【発明の効果】
【００１０】
本発明によると、ユーザ装置において測定されたＲＳ−ＳＩＮＲを基地局に報告するための仕組みを提供することができる。
【図面の簡単な説明】
【００１１】
【図１】図１は、一例となるバンド分散を示す概略図である。
【図２】図２は、一例となるＲＳＲＱとスループットとの関係を示す図である。
【図３】図３は、一例となるＳＩＮＲとスループットとの関係を示す図である。
【図４】図４は、本発明の一実施例による無線通信システムを示す概略図である。
【図５】図５は、本発明の一実施例によるユーザ装置の構成を示すブロック図である。
【図６】図６は、本発明の一実施例による各種報告契機を示す図である。
【図７】図７は、本発明の他の実施例による各種報告契機を示す図である。
【図８】図８は、本発明の一実施例によるバンド分散制御装置の構成を示すブロック図である。
【図９】図９は、本発明の一実施例によるＲＳ−ＳＩＮＲ報告処理を示すシーケンス図である。
【発明を実施するための形態】
【００１２】
以下、図面に基づいて本発明の実施の形態を説明する。
【００１３】
以下において、複数の周波数帯域で通信するマルチバンド機能を備えたユーザ装置のための効果的なバンド分散制御を実現するための技術が開示される。後述される実施例では、バンド分散制御において高精度によりバンド分散先セルにおけるスループットを推定することを可能にするＲＳ−ＳＩＮＲが利用される。ユーザ装置は、基地局から送信される物理ダウンリンク制御チャネルのリファレンス信号に対してＲＳ−ＳＩＮＲを測定し、所定の報告契機に従って、基地局に測定されたＲＳ−ＳＩＮＲを報告する。当該所定の報告契機は、測定されたＲＳ−ＳＩＮＲの値に基づくものであってもよい。あるいは、ＲＳ−ＳＩＮＲに加えて、ＲＳＲＰ又はＲＳＲＱが測定される場合、当該所定の報告契機は、測定されたＲＳＲＰ又はＲＳＲＱの値に基づくものであってもよい。
【００１４】
まず、図４を参照して、本発明の一実施例による無線通信システムを説明する。図４は、本発明の一実施例による無線通信システムを概略的に示す図である。
【００１５】
図４に示されるように、無線通信システム１０は、１以上のユーザ装置（ＵＥ）１００、バンド分散制御装置１５０及び１以上の基地局（ｅＮｏｄｅＢ）２００を有する。本実施例では、無線通信システム１０は、ＬＴＥシステム又はＬＴＥ−Ａｄｖａｎｃｅｄシステムであるが、これに限定されることなく、マルチバンド機能を備えたユーザ装置に無線通信サービスを提供する何れかの無線通信システムであってもよい。
【００１６】
本実施例による無線通信システム１０では、単一の基地局２００が２つの異なる周波数帯域Ｘ  ＧＨｚ，Ｙ  ＧＨｚのセルを提供し、当該基地局２００内においてバンド分散が行われてもよいし、あるいは、異なる基地局２００が２つの異なる周波数帯域Ｘ  ＧＨｚ，Ｙ  ＧＨｚのセルを提供し、当該基地局２００間においてバンド分散が行われてもよい。前者のケースでは、バンド分散制御装置１５０は、典型的には、基地局２００内に備えられ、後者のケースでは、図示されるように、バンド分散制御装置１５０は、典型的には、異なる基地局２００に通信接続されてもよい。
【００１７】
ユーザ装置１００は、典型的には、携帯電話、スマートフォン、タブレット、モバイルルータなどの無線通信機能を備えると共に、複数の周波数帯域において無線通信することが可能なマルチバンド機能をサポートする何れか適切な情報処理装置であってもよい。典型的なハードウェア構成では、ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、ユーザとやりとりするためのインタフェース装置などから構成される。後述されるユーザ装置１００の各機能は、通信装置及び／又はインタフェース装置を介し補助記憶装置に格納されているデータやプログラムをメモリ装置にロードし、ロードされたプログラムに従ってＣＰＵがデータを処理することによって実現されてもよいし、あるいは、当該機能を提供する回路などにより実現されてもよい。
【００１８】
バンド分散制御装置１５０は、ユーザ装置１００から受信したＲＳ−ＳＩＮＲに基づき、ユーザ装置１００に対してバンド分散制御を実行する。一実施例では、バンド分散制御装置１５０は、ユーザ装置１００から受信した在圏セルやバンド分散先候補セルのＲＳ−ＳＩＮＲと、これらのセルのトラヒック状況などに基づき、ユーザ装置１００が異なる周波数帯域のセルに移行すべきか判断し、移行すべきバンド分散先セルを基地局２００を介しユーザ装置１００に通知する。図示された実施例では、バンド分散制御装置１５０は、基地局２００の上位局として設けられているが、本発明はこれに限定されるものでない。例えば、単一の基地局２００が異なる周波数帯域のセルを提供する場合、バンド分散制御装置１５０は、当該基地局２００内に設けられてもよい。
【００１９】
基地局２００は、ユーザ装置１００と無線接続することによって、通信接続された上位局やサーバ（図示せず）から受信したダウンリンクデータをユーザ装置１００に送信すると共に、ユーザ装置１００から受信したアップリンクデータを上位局（図示せず）に送信する。一実施例では、基地局２００は、在圏するユーザ装置１００から取得したＵＥ能力情報（ＵＥ  Ｃａｐａｂｉｌｉｔｙ）を確認し、在圏するユーザ装置１００が複数の周波数帯域で通信するマルチバンド機能を備えているか判断する。ユーザ装置１００がマルチバンド機能を備えている場合、基地局２００は、ユーザ装置１００に複数の周波数帯域のセルのＲＳ−ＳＩＮＲを測定させ、ユーザ装置１００から測定されたＲＳ−ＳＩＮＲを受信する。ユーザ装置１００から複数の周波数帯域のセルのＲＳ−ＳＩＮＲを受信すると、基地局２００は、受信したＲＳ−ＳＩＮＲをバンド分散制御装置１５０に転送し、バンド分散制御装置１５０からの指示に従って、バンド分散制御の結果としてユーザ装置１００にバンド分散先セルを通知する。
【００２０】
次に、図５を参照して、本発明の一実施例によるユーザ装置の構成を説明する。図５は、本発明の一実施例によるユーザ装置の構成を示すブロック図である。
【００２１】
図５に示されるように、ユーザ装置１００は、測定部１１０及び報告部１２０を有する。
【００２２】
測定部１１０は、基地局２００から送信される物理ダウンリンク制御チャネル（ＰＤＣＣＨ）のリファレンス信号に対してＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）を測定する。当該ＲＳ−ＳＩＮＲは、ＰＤＣＣＨが送信される領域のリファレンス信号に対して測定されるＳＩＮＲである。上述されるように、ＲＳ−ＳＩＮＲは、バンド分散先セルにおける実現可能なスループットを高精度に推定するための指標であり、図３に示されるように、当該スループットとＲＳ−ＳＩＮＲとの間には概ね線形な関係がある。
【００２３】
一実施例では、ＲＳ−ＳＩＮＲに加えて、測定部１１０はさらに、ＲＳＲＱ（Ｒｅｆｅｒｅｎｃｅ  Ｓｉｇｎａｌ  Ｒｅｃｅｉｖｅｄ  Ｑｕａｌｉｔｙ）及びＲＳＲＰ（Ｒｅｆｅｒｅｎｃｅ  Ｓｉｇｎａｌ  Ｒｅｃｅｉｖｅｄ  Ｐｏｗｅｒ）の一方又は双方を測定するようにしてもよい。ＲＳＲＱ及びＲＳＲＰはそれぞれ、基地局２００から送信される信号の受信品質及び受信電力を示す指標であり、ユーザ装置１００が基地局２００の近傍又はセル端にいるかを判断するのに効果的に利用可能である。
【００２４】
報告部１２０は、所定の報告契機に従って、基地局２００に測定されたＲＳ−ＳＩＮＲを報告する。一実施例では、報告部１２０は、測定されたＲＳ−ＳＩＮＲの値に基づく報告契機に従って、基地局２００に測定されたＲＳ−ＳＩＮＲを報告するようにしてもよい。所定の報告契機としては、例えば、ＬＴＥ規格で規定されているＥｖｅｎｔ、Ｐｅｒｉｏｄｉｃ又はＥｖｅｎｔ  Ｐｅｒｉｏｄｉｃ  Ｔｒｉｇｇｅｒｅｄ  Ｍｅａｓｕｒｅｍｅｎｔであってもよく、何れの報告契機を利用するかは、無線通信システム１０の事業者により予め規定されてもよいし、あるいは、基地局２００により適宜指定されてもよい。
【００２５】
一実施例では、報告部１２０は、測定されたＲＳ−ＳＩＮＲが所定のイベント条件を充足したことに応答して、測定されたＲＳ−ＳＩＮＲを基地局２００に報告するか（Ｅｖｅｎｔ）、周期的に測定されたＲＳ−ＳＩＮＲを基地局２００に報告するか（Ｐｅｒｉｏｄｉｃ）、又は測定されたＲＳ−ＳＩＮＲが所定のイベント条件を充足した時点から所定のイベント条件が充足する期間中、測定されたＲＳ−ＳＩＮＲを基地局２００に報告するようにしてもよい（Ｅｖｅｎｔ  Ｐｅｒｉｏｄｉｃ  Ｔｒｉｇｇｅｒｅｄ  Ｍｅａｓｕｒｅｍｅｎｔ）。
【００２６】
Ｅｖｅｎｔタイプの報告契機では、例えば、図６（Ａ）に示されるように、所定のイベント条件は、測定されたＲＳ−ＳＩＮＲが所定の期間Ｔｉｍｅ  Ｔｏ  Ｔｒｉｇｇｅｒにおいて所定の閾値ａ１−Ｔｈｒｅｓｈｏｌｄを上回ったことであってもよく、報告部１２０は、所定の閾値ａ１−Ｔｈｒｅｓｈｏｌｄを上回ってから所定の期間Ｔｉｍｅ  Ｔｏ  Ｔｒｉｇｇｅｒ経過した時点に、測定されたＲＳ−ＳＩＮＲを基地局２００に報告してもよい。図示されるように、Ｅｖｅｎｔタイプの報告契機では、所定のイベント条件の充足に応答して、報告部１２０がＲＳ−ＳＩＮＲを基地局２００に報告すると、次回の報告機会は、ＲＳ−ＳＩＮＲが一旦所定の閾値ａ１−Ｔｈｒｅｓｈｏｌｄを下回った後に再び所定のイベント条件が充足された時点となる。このため、何らかの理由により基地局２００がユーザ装置１００からＲＳ−ＳＩＮＲを受信できなかった場合、基地局２００は、次回の報告機会までユーザ装置１００のＲＳ−ＳＩＮＲを認識することができなくなる可能性がある。
【００２７】
Ｐｅｒｉｏｄｉｃタイプの報告契機では、例えば、図６（Ｂ）に示されるように、報告部１２０は、周期的に測定されたＲＳ−ＳＩＮＲを基地局２００に報告する。Ｐｅｒｉｏｄｉｃタイプの報告契機では、ユーザ装置１００が周期的にＲＳ−ＳＩＮＲを送信するため、オーバヘッドが増大する。このため、適切な周期が設定される必要がある。
【００２８】
Ｅｖｅｎｔ  Ｐｅｒｉｏｄｉｃ  Ｔｒｉｇｇｅｒｅｄ  Ｍｅａｓｕｒｅｍｅｎｔタイプの報告契機では、例えば、図６（Ｃ）に示されるように、所定のイベント条件は、測定されたＲＳ−ＳＩＮＲが所定の期間Ｔｉｍｅ  Ｔｏ  Ｔｒｉｇｇｅｒにおいて所定の閾値ａ１−Ｔｈｒｅｓｈｏｌｄを上回ったことであり、ＲＳ−ＳＩＮＲが所定の閾値ａ１−Ｔｈｒｅｓｈｏｌｄを上回り続ける限り、所定の間隔Ｒｅｐｏｒｔ  Ｉｎｔｅｒｖａｌで測定されたＲＳ−ＳＩＮＲを基地局２００に送信し続ける。なお、イベント条件の１回の充足について、周期的な送信の最大回数は、所定値Ｒｅｐｏｒｔ  Ａｍｏｕｎｔに制限されてもよい。
【００２９】
上述した実施例では、報告部１２０は、ＲＳ−ＳＩＮＲの値に基づく所定の報告契機に従って、基地局２００に測定されたＲＳ−ＳＩＮＲを報告したが、本発明はこれに限定されるものでない。すなわち、報告部１２０は、測定されたＲＳ−ＳＩＮＲに加えて、測定されたＲＳＲＱ及びＲＳＲＰの一方又は双方を基地局２００に報告してもよい。
【００３０】
他の実施例では、報告部１２０は、測定されたＲＳＲＱ又はＲＳＲＰの値に基づく報告契機に従って、基地局２００に測定されたＲＳ−ＳＩＮＲを報告するようにしてもよい。すなわち、報告部１２０は、測定されたＲＳＲＱ又はＲＳＲＰが所定のイベント条件を充足したことに応答して、測定されたＲＳ−ＳＩＮＲを基地局２００に報告するか（Ｅｖｅｎｔ）、周期的に測定されたＲＳ−ＳＩＮＲを基地局２００に報告するか（Ｐｅｒｉｏｄｉｃ）、又は測定されたＲＳＲＱ又はＲＳＲＰが所定のイベント条件を充足した時点から所定のイベント条件が充足する期間中、測定されたＲＳ−ＳＩＮＲを基地局２００に報告するようにしてもよい（Ｅｖｅｎｔ  Ｐｅｒｉｏｄｉｃ  Ｔｒｉｇｇｅｒｅｄ  Ｍｅａｓｕｒｅｍｅｎｔ）。
【００３１】
Ｅｖｅｎｔタイプの報告契機では、例えば、図７（Ａ）に示されるように、所定のイベント条件は、測定されたＲＳＲＱ又はＲＳＲＰが所定の期間Ｔｉｍｅ  Ｔｏ  Ｔｒｉｇｇｅｒにおいて所定の閾値ａ１−Ｔｈｒｅｓｈｏｌｄを上回ったことであってもよく、報告部１２０は、所定の閾値ａ１−Ｔｈｒｅｓｈｏｌｄを上回ってから所定の期間Ｔｉｍｅ  Ｔｏ  Ｔｒｉｇｇｅｒ経過した時点に測定されたＲＳ−ＳＩＮＲを基地局２００に報告するようにしてもよい。図示されるように、Ｅｖｅｎｔタイプの報告契機では、所定のイベント条件の充足に応答して、報告部１２０がＲＳ−ＳＩＮＲを基地局２００に報告すると、次回の報告機会は、ＲＳＲＱ又はＲＳＲＰが一旦所定の閾値ａ１−Ｔｈｒｅｓｈｏｌｄを下回った後に再び所定のイベント条件が充足された時点となる。このため、何らかの理由により基地局２００がユーザ装置１００からＲＳ−ＳＩＮＲを受信できなかった場合、基地局２００は、次回の報告機会までユーザ装置１００のＲＳ−ＳＩＮＲを認識することができなくなる可能性がある。
【００３２】
Ｐｅｒｉｏｄｉｃタイプの報告契機では、例えば、図７（Ｂ）に示されるように、報告部１２０は、周期的に測定されたＲＳ−ＳＩＮＲを基地局２００に報告する。Ｐｅｒｉｏｄｉｃタイプの報告契機では、ユーザ装置１００が周期的にＲＳ−ＳＩＮＲを送信するため、オーバヘッドが増大する。このため、適切な周期が設定される必要がある。なお、図７（Ｂ）の報告契機が、図６（Ｂ）の報告契機と等価であることは明らかであろう。
【００３３】
Ｅｖｅｎｔ  Ｐｅｒｉｏｄｉｃ  Ｔｒｉｇｇｅｒｅｄ  Ｍｅａｓｕｒｅｍｅｎｔタイプの報告契機では、例えば、図７（Ｃ）に示されるように、所定のイベント条件は、測定されたＲＳＲＱ又はＲＳＲＰが所定の期間Ｔｉｍｅ  Ｔｏ  Ｔｒｉｇｇｅｒにおいて所定の閾値ａ１−Ｔｈｒｅｓｈｏｌｄを上回ったことであり、ＲＳＲＱ又はＲＳＲＰが所定の閾値ａ１−Ｔｈｒｅｓｈｏｌｄを上回り続ける限り、所定の間隔Ｒｅｐｏｒｔ  Ｉｎｔｅｒｖａｌで測定されたＲＳ−ＳＩＮＲを基地局２００に送信し続ける。なお、イベント条件の１回の充足について、周期的な送信の最大回数は、所定値Ｒｅｐｏｒｔ  Ａｍｏｕｎｔに制限されてもよい。
【００３４】
上述した実施例でもまた、報告部１２０は、ＲＳＲＱ又はＲＳＲＰの値に基づく所定の報告契機に従って、測定されたＲＳ−ＳＩＮＲに加えて、測定されたＲＳＲＱ及びＲＳＲＰの一方又は双方を基地局２００に報告してもよい。
【００３５】
さらなる他の実施例では、報告部１２０は、基地局２００からの報告指示に応答して、測定したＲＳ−ＳＩＮＲを基地局２００に報告してもよい。
【００３６】
次に、図８を参照して、本発明の一実施例によるバンド分散制御装置の構成を説明する。図８は、本発明の一実施例によるバンド分散制御装置の構成を示すブロック図である。
【００３７】
図８に示されるように、バンド分散制御装置１５０は、送受信部２１０及びバンド分散制御部２２０を有する。
【００３８】
送受信部２１０は、ユーザ装置１００から物理ダウンリンク制御チャネルのリファレンス信号に対して測定されたＲＳ−ＳＩＮＲを受信する。具体的には、送受信部２１０は、マルチバンド通信機能を備えたユーザ装置１００から複数の周波数帯域のセルのＲＳ−ＳＩＮＲを受信し、受信したＲＳ−ＳＩＮＲをバンド分散制御部２２０に提供する。
【００３９】
バンド分散制御部２２０は、受信したＲＳ−ＳＩＮＲに基づきユーザ装置１００に対してバンド分散制御を実行し、ユーザ装置１００のバンド分散先セルをユーザ装置１００に通知するよう送受信部２１０に指示する。一実施例では、バンド分散制御部２２０は、ユーザ装置１００から受信した在圏セルのＲＳ−ＳＩＮＲと、当該在圏セルと異なる周波数帯域のセルのＲＳ−ＳＩＮＲとを比較し、より高いＲＳ−ＳＩＮＲを有するセルに移行するようユーザ装置１００に指示する。より高いＲＳ−ＳＩＮＲを有するセルは、より高いスループットが期待できるためである。
【００４０】
他の実施例では、バンド分散制御部２２０は、受信したＲＳ−ＳＩＮＲに加えて、在圏セルと当該在圏セルのバンド分散先候補セルとのトラヒック量に基づきユーザ装置１００に対してバンド分散制御を実行し、ユーザ装置１００のバンド分散先セルをユーザ装置１００に通知するよう送受信部２１０に指示してもよい。例えば、在圏セルとバンド分散先候補セルとのＲＳ−ＳＩＮＲが実質的に等しい場合、バンド分散制御部２２０は、トラヒック量の少ないセルに移行するようユーザ装置１００に指示する。これにより、特定の基地局２００にトラフィックが集中することを回避することができる。
【００４１】
次に、図９を参照して、本発明の一実施例によるユーザ装置におけるＲＳ−ＳＩＮＲ報告処理を説明する。図９は、本発明の一実施例によるＲＳ−ＳＩＮＲ報告処理を示すシーケンス図である。図示された実施例では、バンド分散制御装置１５０は、基地局２００に備えられ、基地局２００により提供される異なる周波数帯域のセル間のバンド分散制御を実行する。
【００４２】
図９に示されるように、ステップＳ１０１において、基地局２００に在圏又は接続したユーザ装置１００は、基地局２００にＵＥ能力情報（ＵＥ  Ｃａｐａｂｉｌｉｔｙ）を提供する。基地局２００は、提供されたＵＥ能力情報に基づき、ユーザ装置１００がマルチバンド機能をサポートしているか判断し、マルチバンド機能をサポートしている場合、ユーザ装置１００に対してバンド分散制御を開始する。
【００４３】
ステップＳ１０２において、ユーザ装置１００は、基地局２００から送信される物理ダウンリンク制御チャネルのリファレンス信号に対してＲＳ−ＳＩＮＲを測定する。他の実施例では、ＲＳ−ＳＩＮＲと共に、ユーザ装置１００は、ＲＳＲＰ及び／又はＲＳＲＱを測定してもよい。
【００４４】
ステップＳ１０３において、ユーザ装置１００は、所定の報告契機に従って、基地局２００に測定されたＲＳ−ＳＩＮＲを報告する。一実施例では、ユーザ装置１００は、測定されたＲＳ−ＳＩＮＲの値に基づく報告契機に従って、基地局２００に測定されたＲＳ−ＳＩＮＲを報告するようにしてもよい。例えば、ユーザ装置１００は、測定されたＲＳ−ＳＩＮＲが所定のイベント条件を充足したことに応答して、測定されたＲＳ−ＳＩＮＲを基地局２００に報告するか、周期的に測定されたＲＳ−ＳＩＮＲを基地局２００に報告するか、又は測定されたＲＳ−ＳＩＮＲが所定のイベント条件を充足した時点から所定のイベント条件が充足する期間中、測定されたＲＳ−ＳＩＮＲを基地局２００に報告するようにしてもよい。
【００４５】
他の実施例では、ユーザ装置１００が、ＲＳ−ＳＩＮＲと共に、ＲＳＲＰ及び／又はＲＳＲＱを測定する場合、測定されたＲＳＲＱ又はＲＳＲＰの値に基づく報告契機に従って、基地局２００に測定されたＲＳ−ＳＩＮＲを報告するようにしてもよい。例えば、ユーザ装置１００は、測定されたＲＳＲＱ又はＲＳＲＰが所定のイベント条件を充足したことに応答して、測定されたＲＳ−ＳＩＮＲを基地局２００に報告するか、周期的に測定されたＲＳ−ＳＩＮＲを基地局２００に報告するか、又は測定されたＲＳＲＱ又はＲＳＲＰが所定のイベント条件を充足した時点から所定のイベント条件が充足する期間中、測定されたＲＳ−ＳＩＮＲを基地局２００に報告するようにしてもよい。
【００４６】
ステップＳ１０４において、基地局２００は、ユーザ装置１００から在圏セル及び在圏セルと異なる周波数帯域のバンド分散先候補セルのＲＳ−ＳＩＮＲを受信する。
【００４７】
ステップＳ１０５において、基地局２００は、ユーザ装置１００に対してバンド分散制御を実行し、ステップＳ１０４において受信した在圏セル及びバンド分散先候補セルのＲＳ−ＳＩＮＲと、在圏セル及びバンド分散先候補セルのトラヒック量とに基づき、ユーザ装置１００のバンド分散先セルを決定する。
【００４８】
ステップＳ１０６において、基地局２００は、決定したバンド分散先セルをユーザ装置１００に通知する。当該通知は、例えば、ユーザ装置１００が基地局２００にＲＲＣ  ＣＯＮＮＥＣＴＥＤ状態で接続している場合には、ハンドオーバ指示により実現されてもよい。あるいは、当該通知は、ユーザ装置１００が終話時など以降にＩＤＬＥ状態に遷移する場合には、ＲＲＣ  Ｃｏｎｎｅｃｔｉｏｎ  Ｒｅｌｅａｓｅにより実現されてもよい。
【００４９】
ステップＳ１０７において、ユーザ装置１００は、基地局２００から通知されたバンド分散先セルに在圏する。
【００５０】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５１】
１０  無線通信システム
１００  ユーザ装置
１５０  バンド分散制御装置
２００  基地局
【図１】
2015154463.tif 000003
【図２】
2015154463.tif 000004
【図３】
2015154463.tif 000005
【図４】
2015154463.tif 000006
【図５】
2015154463.tif 000007
【図６】
2015154463.tif 000008
【図７】
2015154463.tif 000009
【図８】
2015154463.tif 000010
【図９】
2015154463.tif 000011